(57)【要約】【課題】折径の異なる複数種類のフィルム及び長さの異なる複数種類のフィルムの双方に対応することができるフィルムオープナーを提供する。【解決手段】中心に吸引路２１ａが形成され、下端が閉塞された円筒状のインナーパイプ２１と、このインナーパイプ２１に回転可能に外嵌されるミドルパイプ２２と、ミドルパイプ２２（又はインナーパイプ２１）に回転可能に外嵌される、ラベルの吸着面となる一対の側面を有するアウターパイプ２３とを有する吸引杆を備えている。アウターパイプ２３の一対の側面には幅方向の異なる位置にそれぞれ吸引孔列が形成されており、インナーパイプ２１の周面にはアウターパイプ２３のいずれかの吸引孔列の各吸引孔２３ａと連通可能な連通孔２１ｂからなる一の連通孔列が形成されていると共に、ミドルパイプ２２の周面には連通孔２２ａの配設パターンが異なる複数の連通孔列が周方向の異なる位置に形成されている。【選択図】        図６
2015147592.tif 000002
【特許請求の範囲】
【請求項１】
シート状に折り畳まれた状態で供給される筒状のフィルムを開口して被嵌体に被嵌するフィルム被嵌装置に搭載されるフィルムオープナーであって、
シート状に折り畳まれた状態のフィルムの一面側及び他面側を、その幅方向に所定間隔を開けてそれぞれ吸引する、フィルムの長さ方向に延びる対向する吸引杆を備え、
シート状に折り畳まれた状態のフィルムを吸引把持した対向する吸引杆を相互に離反させることによって、シート状に折り畳まれた状態のフィルムを開口するようになっており、
それぞれの吸引杆は、
中心に吸引路が形成され、周面に一の連通孔列が形成された円筒状のインナーパイプと、
インナーパイプに回転可能に外嵌される、周面に複数の連通孔列が形成された円筒状のミドルパイプと、
インナーパイプ及びミドルパイプの少なくとも一方に回転可能に外嵌される、フィルムの吸着面となる複数の側面を有すると共に、複数の側面の幅方向の異なる位置に吸引孔列がそれぞれ形成された角柱状のアウターパイプとを有し、
ミドルパイプの連通孔列を介してインナーパイプの一の連通孔列と連通させるアウターパイプの吸引孔列を切り替えることによって、折径の異なるフィルムに対応し、
アウターパイプのいずれかの吸引孔列を構成している特定の吸引孔をインナーパイプの連通孔列の対応する連通孔に連通させるミドルパイプの連通孔列を切り替えることによって、長さの異なるフィルムに対応するように構成されていることを特徴とするフィルムオープナー。
【請求項２】
インナーパイプの周面に形成された一の連通孔列は、開口しようとするフィルムの折径に応じて選択される、アウターパイプの側面の幅方向の異なる位置に形成されたいずれかの吸引孔列を構成している各吸引孔と連通可能な複数の連通孔によって構成されており、
ミドルパイプの周面に形成されたそれぞれの連通孔列は、開口しようとするフィルムの長さに応じて決定された、アウターパイプに形成された各吸引孔列を構成している特定の吸引孔と連通可能な複数の連通孔から構成されている請求項１に記載のフィルムオープナー。
【請求項３】
インナーパイプの連通孔列と、ミドルパイプの任意の連通孔列と、アウターパイプの任意の吸引孔列とが対応するように、インナーパイプ、ミドルパイプ及びアウターパイプを周方向に相対的に位置決めする位置決め手段を有している請求項１または２に記載のフィルムオープナー。
【発明の詳細な説明】
【技術分野】
【０００１】
この発明は、例えば、シート状に折り畳まれた状態で供給されるシュリンクラベルやストレッチラベル等の筒状のフィルムを、瓶、ボトル等の被嵌体に被嵌するために開口するフィルムオープナーに関する。
【背景技術】
【０００２】
例えば、瓶やボトル等の胴部外周面にシュリンクラベル等の筒状フィルムを被嵌するフィルム被嵌装置には、通常、シート状に折り畳まれた長尺帯状の筒状フィルムを切断することによって形成された所定長の筒状フィルム（ラベル）が順次供給されるようになっているので、こういったフィルム被嵌装置には、シート状に折り畳まれた状態で供給される所定長の筒状フィルムを開口するためのフィルムオープナーが搭載されている。
【０００３】
このようなフィルムオープナーとしては、例えば、図１５に示すようなものがある。このフィルムオープナー５０は、シート状に折り畳まれた状態のラベルＬの一面側及び他面側を、その幅方向に所定間隔を開けてそれぞれ吸引する、ラベルＬの長さ方向に延びる２対の吸引杆５１、５１を備えており、同図（ａ）〜（ｆ）に示すように、シート状に折り畳まれた状態のラベルＬを、２対の吸引杆５１、５１によって吸引把持した後、ラベルＬを吸引把持している２対の吸引杆５１、５１を相互に離反させることによって、シート状に折り畳まれた状態のラベルＬを開口し、その状態で、吸引杆５１、５１を降下させることにより、開口したラベルＬをＰＥＴボトルＢに被嵌するようになっている。
【０００４】
ところで、この種のフィルムオープナーには、折径の異なる複数種類のラベルＬに対応することができるようにしたものがある。具体的には、図１６（ａ）、（ｂ）及び図１７に示すように、吸引杆５１を、中心に吸引路５２ａが形成されたインナーパイプ５２と、このインナーパイプ５２に回転可能に外嵌めされる、円形の嵌合孔を有する断面正方形状のアウターパイプ５３とによって構成し、アウターパイプ５３の隣接する二つの側面をラベルＬの吸引保持面として選択的に使用することができるように、隣接する二つの側面には、その幅方向の異なる位置にそれぞれ複数の吸引孔５３ａからなる吸引孔列を形成すると共に、インナーパイプ５２には、アウターパイプ５３のいずれか一方の側面に形成された吸引孔５３ａだけを吸引路５２ａに連通させることができるように、周方向の一部を長手方向に切除したスリット５２ｂを形成することによって、図１８（ａ）、（ｂ）及び図１９（ａ）、（ｂ）に示すように、アウターパイプ５３を回転させてラベルＬの吸引保持面となる隣接する二つの側面を適宜切り替えることで、ラベルＬの同一面を吸引保持する２本の吸引杆５１、５１の吸引孔５３ａ、５３ａの間隔を変化させて、折径の異なる複数種類のラベルＬに対応することができるようになっている。
【０００５】
また、この種のフィルムオープナーには、長さの異なる複数種類のラベルＬに対応することができるようにしたものもある。こういったフィルムオープナーは、図２０（ａ）〜（ｄ）及び図２１（ａ）〜（ｇ）に示すように、中心に吸引路６２ａが、周面にスリット６２ｂがそれぞれ形成されたインナーパイプ６２と、このインナーパイプ６２に外嵌される、円形の嵌合孔を有する断面正方形状のアウターパイプ６３とによって吸引杆６１が構成されているが、上述したフィルムオープナーとは異なり、アウターパイプ６３が、回転可能な上位パイプ６３Ａ、回転可能な中位パイプ６３Ｂ及び回転不能な下位パイプ６３Ｃに３分割されており、回転可能な上位パイプ６３Ａ及び中位パイプ６３Ｂには３つの側面に複数の吸引孔６３ａからなる列の長さの異なる（吸引孔６３ａの数の異なる）吸引孔列が、回転不能な下位パイプ６３Ｃにはインナーパイプ６２のスリット６２ｂに対応する１つの側面に５つの吸引孔６３ａからなる吸引孔列がそれぞれ形成されている。従って、上位パイプ６３Ａ、中位パイプ６３Ｂの４つの側面を適宜切り替えることによって、図２２（ａ）〜（ｄ）に示すように、長さの異なる７種類のラベルに対応することができる。
【先行技術文献】
【特許文献】
【０００６】
【特許文献１】国際公開第２０１０／１０９５３５号公報
【特許文献２】国際公開第２０１１／１１４５２４号公報
【発明の概要】
【発明が解決しようとする課題】
【０００７】
しかしながら、折径の異なる複数種類のラベルに対応可能な従来のフィルムオープナーは、長さの異なる複数種類のラベルに対応することができず、逆に、長さの異なる複数種類のラベルに対応可能な従来のフィルムオープナーは、折径の異なる複数種類のラベルに対応することができないといった問題があった。
【０００８】
そこで、この発明の課題は、折径の異なる複数種類のフィルム及び長さの異なる複数種類のフィルムの双方に対応することができるフィルムオープナーを提供することにある。
【課題を解決するための手段】
【０００９】
上記の課題を解決するため、請求項１に係る発明は、シート状に折り畳まれた状態で供給される筒状のフィルムを開口して被嵌体に被嵌するフィルム被嵌装置に搭載されるフィルムオープナーであって、シート状に折り畳まれた状態のフィルムの一面側及び他面側を、その幅方向に所定間隔を開けてそれぞれ吸引する、フィルムの長さ方向に延びる対向する吸引杆を備え、シート状に折り畳まれた状態のフィルムを吸引把持した対向する吸引杆を相互に離反させることによって、シート状に折り畳まれた状態のフィルムを開口するようになっており、それぞれの吸引杆は、中心に吸引路が形成され、周面に一の連通孔列が形成された円筒状のインナーパイプと、インナーパイプに回転可能に外嵌される、周面に複数の連通孔列が形成された円筒状のミドルパイプと、インナーパイプ及びミドルパイプの少なくとも一方に回転可能に外嵌される、フィルムの吸着面となる複数の側面を有すると共に、複数の側面の幅方向の異なる位置に吸引孔列がそれぞれ形成された角柱状のアウターパイプとを有し、ミドルパイプの連通孔列を介してインナーパイプの一の連通孔列と連通させるアウターパイプの吸引孔列を切り替えることによって、折径の異なるフィルムに対応し、アウターパイプのいずれかの吸引孔列を構成している特定の吸引孔をインナーパイプの連通孔列の対応する連通孔に連通させるミドルパイプの連通孔列を切り替えることによって、長さの異なるフィルムに対応するように構成されていることを特徴とするフィルムオープナーを提供するものである。
【００１０】
請求項２に係る発明は、請求項１に係る発明のフィルムオープナーにおいて、インナーパイプの周面に形成された一の連通孔列は、開口しようとするフィルムの折径に応じて選択される、アウターパイプの側面の幅方向の異なる位置に形成されたいずれかの吸引孔列を構成している各吸引孔と連通可能な複数の連通孔によって構成されており、ミドルパイプの周面に形成されたそれぞれの連通孔列は、開口しようとするフィルムの長さに応じて決定された、アウターパイプに形成された各吸引孔列を構成している特定の吸引孔と連通可能な複数の連通孔から構成されていることを特徴としている。
【００１１】
請求項３に係る発明は、請求項１または２に係る発明のフィルムオープナーにおいて、インナーパイプの連通孔列と、ミドルパイプの任意の連通孔列と、アウターパイプの任意の吸引孔列とが対応するように、インナーパイプ、ミドルパイプ及びアウターパイプを周方向に相対的に位置決めする位置決め手段を有していることを特徴としている。
【発明の効果】
【００１２】
以上のように、請求項１に係る発明のフィルムオープナーは、それぞれの吸引杆を、中心に吸引路が形成され、周面に一の連通孔列が形成された円筒状のインナーパイプと、インナーパイプに回転可能に外嵌される、周面に複数の連通孔列が形成された円筒状のミドルパイプと、インナーパイプ及びミドルパイプの少なくとも一方に回転可能に外嵌される、フィルムの吸着面となる複数の側面を有すると共に、複数の側面の幅方向の異なる位置に吸引孔列がそれぞれ形成された角柱状のアウターパイプとを備えた３重パイプ構造とし、ミドルパイプの連通孔列を介してインナーパイプの一の連通孔列と連通させるアウターパイプの吸引孔列を切り替えることによって、折径の異なるフィルムに対応し、アウターパイプのいずれかの吸引孔列を構成している特定の吸引孔をインナーパイプの連通孔列の対応する連通孔に連通させるミドルパイプの連通孔列を切り替えることによって、長さの異なるフィルムに対応するように構成されているので、インナーパイプに対してミドルパイプやアウターパイプを相対回転させることによって、折径の異なる複数種類のフィルム及び長さの異なる複数種類のフィルムの双方に対応することができる。
【００１３】
また、請求項３に係る発明のフィルムオープナーは、インナーパイプの連通孔列と、ミドルパイプの任意の連通孔列と、アウターパイプの任意の吸引孔列とが対応するように、インナーパイプ、ミドルパイプ及びアウターパイプを周方向に相対的に位置決めする位置決め手段を有しているので、インナーパイプの連通孔列に対するアウターパイプの吸引孔列の切替操作やミドルパイプの連通孔列の切替操作を簡単に行うことができる。
【図面の簡単な説明】
【００１４】
【図１】この発明に係るフィルムオープナーの一実施形態であるラベルオープナーが搭載されたラベル被嵌ヘッドを示す側面図である。
【図２】（ａ）は図１のＸ−Ｘ線に沿った断面図、（ｂ）は図１のＹ−Ｙ線に沿った断面図である。
【図３】（ａ）は同上のラベルオープナーを示す側面図、（ｂ）は同上のラベルオープナーを示す正面図である。
【図４】（ａ）〜（ｄ）は同上のラベルオープナーを構成している吸引杆を異なる方向から視た側面図である。
【図５】（ａ）は図４（ａ）のＸ−Ｘ線に沿った断面図、（ｂ）は図４（ａ）のＹ−Ｙ線に沿った断面図である。
【図６】（ａ）は同上の吸引杆を示す縦断面図、（ｂ）は同上の吸引杆を構成しているインナーパイプ、接続パイプ及びストッパ部材を示す縦断面図、（ｃ）は同上の吸引杆を構成しているミドルパイプを示す縦断面図、（ｄ）は同上の吸引杆を構成しているアウターパイプを示す縦断面図である。
【図７】（ａ）は同上のインナーパイプを示す側面図、（ｂ）〜（ｅ）は同上のミドルパイプを異なる方向から視た側面図、（ｆ）、（ｇ）は同上のアウターパイプを異なる方向から視た側面図である。
【図８】（ａ）は同上の吸引杆を示す対角線に沿った縦断面図、（ｂ）は（ａ）のＸ−Ｘ線に沿った断面図、（ｃ）は（ａ）のＹ−Ｙ線に沿った断面図である。
【図９】同上の吸引杆に設けられたボールプランジャと円錐凹部との関係を示す拡大断面図である。
【図１０】（ａ）、（ｂ）はラベルＬの同一面を吸引保持する２本の吸引杆の吸引孔列の間隔が変化する様子を示す説明図である。
【図１１】（ａ）は同上のラベルオープナーでシート状に折り畳まれた折径の大きいラベルを把持した状態を示す平面図、（ｂ）は同上のラベルオープナーでシート状に折り畳まれた折径の大きいラベルを開口した状態を示す平面図である。
【図１２】（ａ）は同上のラベルオープナーでシート状に折り畳まれた折径の小さいラベルを把持した状態を示す平面図、（ｂ）は同上のラベルオープナーでシート状に折り畳まれた折径の小さいラベルを開口した状態を示す平面図である。
【図１３】（ａ）〜（ｄ）は同上のラベルオープナーで長さの異なるラベルを開口する場合のインナーパイプ、ミドルパイプ及びアウターパイプの関係を示す縦断面図である。
【図１４】（ａ）〜（ｃ）は同上のラベルオープナーで長さの異なるラベルを開口する場合のインナーパイプ、ミドルパイプ及びアウターパイプの関係を示す縦断面図である。
【図１５】（ａ）〜（ｆ）はラベル被嵌装置に搭載された従来のラベルオープナーによるラベルの被嵌動作を示す工程図である。
【図１６】（ａ）、（ｂ）は同上のラベルオープナーを構成している吸引杆を示す側面図である。
【図１７】図１６（ａ）のＶ−Ｖ線に沿った断面図である。
【図１８】（ａ）は同上のラベルオープナーでシート状に折り畳まれたラベルを把持した状態を示す平面図、（ｂ）は同上のラベルオープナーでシート状に折り畳まれたラベルを開口した状態を示す平面図である。
【図１９】（ａ）は同上のラベルオープナーの異なる吸引保持面でシート状に折り畳まれたラベルを把持した状態を示す平面図、（ｂ）は同上のラベルオープナーでシート状に折り畳まれたラベルを開口した状態を示す平面図である。
【図２０】（ａ）はラベル被嵌装置に搭載された従来の他のラベルオープナーを構成している吸引杆を示す側面図、（ｂ）〜（ｄ）は同上の吸引杆を構成しているアウターパイプを異なる方向から視た側面図である。
【図２１】（ａ）は図２０（ａ）のＴ−Ｔ線に沿った断面図、（ｂ）は図２０（ａ）のＵ−Ｕ線に沿った断面図、（ｃ）は図２０（ａ）のＶ−Ｖ線に沿った断面図、（ｄ）は図２０（ａ）のＷ−Ｗ線に沿った断面図、（ｅ）は図２０（ａ）のＸ−Ｘ線に沿った断面図、（ｆ）は図２０（ａ）のＹ−Ｙ線に沿った断面図、（ｇ）は図２０（ａ）のＺ−Ｚ線に沿った断面図である。
【図２２】（ａ）〜（ｇ）は長さの異なるラベルを開口する場合の吸引杆の状態を示す側面図である。
【発明を実施するための形態】
【００１５】
以下、実施の形態について図面を参照して説明する。図１は、シート状に折り畳まれた状態で供給される筒状のラベルを開口してＰＥＴボトル（以下、ボトルという。）Ｂに被嵌するラベル被嵌装置に搭載されるラベルオープナー１を示している。このラベルオープナー１は、図１〜図３に示すように、ベース部材１１に固定された本体ユニット１２と、ベース部材１１に取り付けられた、支持フレームＳＦに固定されたスライドレールＳＲに沿って昇降するスライドガイド４２と、本体ユニット１２を昇降させるカム機構４３とを備えている。
【００１６】
前記本体ユニット１２は、中央部が開口された環状の上側ベース１３及び下側ベース１４と、この上側ベース１３及び下側ベース１４を上下方向に所定間隔を開けて連結する連結板１５及び連結ロッド１６と、開口を取り囲むように下側ベース１４の上に配設され、支持円盤ＳＤから立ち上がる伸縮可能な吸引パイプ４４、４４に接続される、内部に吸引路が形成された吸引ブロック１７、１７と、互いに向き合うように、上側ベース１３及び吸引ブロック１７、１７に開閉可能に支持された、内部に吸引路が形成され、先端が内側に屈曲した鉤形の２組の開閉アーム１８、１８及び開閉アーム１９、１９と、各開閉アーム１８、１８、１９、１９の先端部の下面にそれぞれ取り付けられた、下方側に延びる第１〜第４の吸引杆２０（２０Ａ、２０Ｂ、２０Ｃ、２０Ｄ）と、２組の開閉アーム１８、１８及び開閉アーム１９、１９を同時に開閉させる開閉機構２７とを備えており、図１１（ａ）に示すように、一方の開閉アーム１８、１８に取り付けた第１の吸引杆２０Ａと第３の吸引杆２０Ｃとでシート状に折り畳まれたラベルＬの幅方向の一端側（ラベルＬの一方の側縁からラベルＬの全幅の略１／４だけ内側の位置）を把持すると共に、他方の開閉アーム１９、１９に取り付けた第２の吸引杆２０Ｂと第４の吸引杆２０Ｄとでシート状に折り畳まれたラベルＬの幅方向の他端側（ラベルＬの他方の側縁からラベルＬの全幅の略１／４だけ内側の位置）を把持するようになっている。そして、図１１（ｂ）に示すように、２組の開閉アーム１８、１８及び開閉アーム１９、１９を同時に開くことによって、シート状に折り畳まれた状態のラベルＬを吸引把持した対向する吸引杆２０Ａ、２０Ｃ及び対向する吸引杆２０Ｂ、２０Ｄを相互に離反させると、シート状に折り畳まれた状態のラベルＬが開口されるようになっている。なお、図１に示す符号ＴＵはラベル受渡ユニットを構成しているテイクアップ部材を示しており、このテイクアップ部材ＴＵがラベル供給位置に供給されるラベルを受け取って、ラベルオープナー１に引き渡すようになっている。
【００１７】
前記吸引杆２０（２０Ａ、２０Ｂ、２０Ｃ、２０Ｄ）は、図４（ａ）〜（ｄ）、図５（ａ）、（ｂ）及び図６（ａ）〜（ｄ）に示すように、中心に吸引路２１ａが形成され、先端（下端）が閉塞された円筒状のインナーパイプ２１と、このインナーパイプ２１に回転可能に外嵌されるミドルパイプ２２と、インナーパイプ２１及びミドルパイプ２２の少なくとも一方に回転可能に外嵌される、ラベルの吸着面となる一対の側面を有する横断面正方形状のアウターパイプ２３と、インナーパイプ２１の上端部に嵌着された、アウターパイプ２３と同様の横断面正方形状の接続パイプ２４と、ミドルパイプ２２及びアウターパイプ２３が脱落しないように、インナーパイプ２１の下端部に嵌着された逆円錐台形状のストッパ部材２５とを備えており、接続パイプ２４を介して各開閉アーム１８、１８、１９、１９の先端部の下面に接続されている。なお、各開閉アーム１８、１８、１９、１９に吸引杆２０（２０Ａ、２０Ｂ、２０Ｃ、２０Ｄ）が接続された状態では、各インナーパイプ２１の吸引路２１ａ、各開閉アーム１８、１８、１９、１９の吸引路及び吸引ブロック１７、１７の吸引路が相互に接続された状態となっている。
【００１８】
前記アウターパイプ２３は、図６（ａ）、（ｄ）及び図７（ｆ）、（ｇ）に示すように、上位パイプ２３Ａ、中位パイプ２３Ｂ及び下位パイプ２３Ｃに３分割されており、それぞれ個別に回転可能な状態で、上位パイプ２３Ａ及び中位パイプ２３Ｂはミドルパイプ２２に、下位パイプ２３Ｃはインナーパイプ２１に外嵌されている。
【００１９】
また、アウターパイプ２３は、対向する二つの側面をラベルＬの吸引保持面として選択的に使用することができるように、対向する二つの側面にはそれぞれ上下方向に配設された複数の吸引孔２３ａからなる吸引孔列が幅方向の異なる位置（一方の側面には幅方向の左側、他方の側面には幅方向の右側）にそれぞれ形成されており、具体的には、上位パイプ２３Ａ及び中位パイプ２３Ｂの対向する二つの側面にそれぞれ６個の吸引孔２３ａが、下位パイプ２３Ｃの対向する二つの側面にそれぞれ４個の吸引孔２３ａが形成されている。なお、吸引孔列を構成している各吸引孔２３ａは、図５（ａ）、（ｂ）に示すように、アウターパイプ２３の側面に対して直角ではなく、斜めに形成されており、上述したように、アウターパイプ２３の外表面側では、対応する側面の幅方向の左側または右側に開放されているが、アウターパイプ２３の内周面側では、対応する側面の幅方向の中央部に開放されている。
【００２０】
前記ミドルパイプ２２は、図６（ａ）、（ｃ）及び図７（ｂ）〜（ｅ）に示すように、アウターパイプ２３の上位パイプ２３Ａ及び中位パイプ２３Ｂが外嵌される円筒状の本体部２２Ａと、この本体部２２Ａの上端に連設された、アウターパイプ２３と同様の横断面正方形状の操作部２２Ｂとから構成されており、操作部２２Ｂを摘まんで回転操作を行うことができるようになっている。
【００２１】
円筒状の本体部２２Ａの周面には、図７（ｂ）〜（ｅ）に示すように、開口しようとするラベルの長さに応じて、アウターパイプ２３に形成された各吸引孔列を構成している特定の吸引孔２３ａと連通可能な複数の連通孔２２ａからなる、連通孔２２ａの配設パターンが異なる複数の連通孔列が周方向の異なる位置（０゜、９０゜、１８０゜の位置）に形成されており、具体的には、同図（ｂ）に示すように、アウターパイプ２３の各吸引孔列における上位パイプ２３Ａ及び中位パイプ２３Ｂに形成された全ての吸引孔２３ａに連通可能な連通孔２２ａを有する連通孔列、同図（ｃ）に示すように、上位パイプ２３Ａ及び中位パイプ２３Ｂのそれぞれ下から４個の吸引孔２３ａに連通可能な連通孔２２ａを有する連通孔列、同図（ｄ）に示すように、上位パイプ２３Ａ及び中位パイプ２３Ｂのそれぞれ下から２個の吸引孔２３ａに連通可能な連通孔２２ａを有する連通孔列が形成されている。
【００２２】
前記インナーパイプ２１の周面には、図７（ａ）に示すように、開口しようとするラベルの折径に応じて、アウターパイプ２３（上位パイプ２３Ａ、中位パイプ２３Ｂ及び下位パイプ２３Ｃ）のいずれか一方の吸引孔列の各吸引孔２３ａに対応する複数の連通孔２１ｂからなる一の連通孔列が形成されており、ミドルパイプ２２の連通孔列を構成している連通孔２２ａを介して、アウターパイプ２３（上位パイプ２３Ａ、中位パイプ２３Ｂ、下位パイプ２３Ｃ）のいずれか一方の吸引孔列を構成している吸引孔２３ａを吸引路２１ａに連通することができるようになっている。
【００２３】
また、図８（ａ）〜（ｃ）及び図９に示すように、インナーパイプ２１の連通孔列と、ミドルパイプ２２の任意の連通孔列及びアウターパイプ２３の任意の吸引孔列とを確実に対応させることができるように、ミドルパイプ２２の操作部２２Ｂにおける対角部には、インナーパイプ２１と一体的に回転する接続パイプ２４の下端面における各角部に形成された円錐凹部２４ａに嵌合可能なボールプランジャ２６及び上位パイプ２３Ａの上端面における各角部に形成された円錐凹部２３Ａａに嵌合可能なボールプランジャ２６が、上位パイプ２３Ａの下端角部には、中位パイプ２３Ｂの上端面における各角部に形成された凹部２３Ｂａに嵌合可能なボールプランジャ２６が、中位パイプ２３Ｂの下端角部には、下位パイプ２３Ｃの上端面における各角部に形成された凹部２３Ｃａに嵌合可能なボールプランジャ２６がそれぞれ埋設されており、接続パイプ２４とミドルパイプ２２の操作部２２Ｂ、ミドルパイプ２２の操作部２２Ｂとアウターパイプ２３の上位パイプ２３Ａ、アウターパイプ２３の上位パイプ２３Ａとアウターパイプ２３の中位パイプ２３Ｂ、アウターパイプ２３の中位パイプ２３Ｂとアウターパイプ２３の下位パイプ２３Ｃをそれぞれ周方向に相対的に位置決めすることができるようになっている。
【００２４】
従って、インナーパイプ２１の連通孔列、ミドルパイプ２２の一の連通孔列及びアウターパイプ２３の一の吸引孔列が対応するように、インナーパイプ２１、ミドルパイプ２２及びアウターパイプ２３が周方向に相対的に位置決めされた状態で、アウターパイプ２３を回転させることによってアウターパイプ２３の他の吸引孔列をインナーパイプ２１の連通孔列及びミドルパイプ２２の一の連通孔列に対応させ、その吸引孔列が形成されているアウターパイプ２３の側面をラベルの吸着面として使用すると、図１０（ａ）、（ｂ）に示すように、アウターパイプ２３の吸引孔列がラベルの吸着面の幅方向に位置ずれし、ラベルＬの同一面を吸引保持する２本の吸引杆の吸引孔列の間隔Ｓが変化するので、図１１（ａ）、（ｂ）及び図１２（ａ）、（ｂ）に示すように、アウターパイプ２３のいずれの吸引孔列を使用するかによって、折径の異なる複数種類のラベルＬに対応することができる。
【００２５】
また、インナーパイプ２１の連通孔列、ミドルパイプ２２の一の連通孔列及びアウターパイプ２３の一の吸引孔列が対応するように、インナーパイプ２１、ミドルパイプ２２及びアウターパイプ２３が周方向に相対的に位置決めされた状態で、ミドルパイプ２２を回転させることによって連通孔の配設パターンが異なるミドルパイプ２２の他の連通孔列をインナーパイプ２１の連通孔列及びアウターパイプ２３の一の吸引孔列に対応させると、インナーパイプ２１の吸引路２１ａに連通するアウターパイプ２３の吸引孔２３ａが、ミドルパイプ２２の一の連通孔列を構成している連通孔２２ａに対応するアウターパイプ２３の吸引孔２３ａから、ミドルパイプ２２の他の連通孔列を構成している連通孔２２ａに対応するアウターパイプ２３の吸引孔２３ａに変化するので、図１３（ａ）〜（ｄ）及び図１４（ａ）〜（ｃ）に示す７種類の長さのラベルＬに対応することが出来る。
【００２６】
なお、アウターパイプ２３の上位パイプ２３Ａから下位パイプ２３Ｃに至るロングラベルを開口する際は、ラベルの開口端である上端部及び下端部から長さ方向の中央部に空気が流入しにくいので、対向する一対の吸引杆２０が相互に離間しても、ラベルの長さ方向の中央部に位置している部分が開きにくく、その部分がアウターパイプ２３の中位パイプ２３Ｂの側面から離反してしまい、中位パイプ２３Ｂに形成された吸引孔２３ａに多量の空気が流入することで、上位パイプ２３Ａ及び下位パイプ２３Ｃに形成されている吸引孔２３ａにおける吸引力が著しく低下し、ラベルが吸引杆２０から脱落してしまうおそれがある。従って、図１３（ａ）〜（ｃ）に示すように、アウターパイプ２３の上位パイプ２３Ａから下位パイプ２３Ｃに至るロングラベルの場合は、予め、中位パイプ２３Ｂを回転させて吸引孔が形成されていない側面を上位パイプ２３Ａ及び下位パイプ２３Ｃの吸着面に対応させておくことで、ラベルの長さ方向の中央部を中位パイプ２３に予め吸着させないようにしておくことが望ましい。
【００２７】
前記開閉機構２７は、図２及び図３に示すように、上側ベース１３の上面に取り付けられた左右二組のスライドガイド２８、２８及びスライドガイド２８、２８と、左右それぞれのスライドガイド２８、２８及びスライドガイド２８、２８に係合して進退するスライドレール２９、２９と、各スライドレール２９、２９にそれぞれ取り付けられたラック３０、３０と、それぞれのラック３０、３０に歯合する、一方の開閉アーム１８、１８の回転軸にそれぞれ取り付けられたセクタ歯車３１、３１及び他方の開閉アーム１９、１９側において上側ベース１３及び下側ベース１４に回転可能に支持された回転軸３２、３２に取り付けられたセクタ歯車３１、３１と、上側ベース１３の下側において回転軸３２、３２に取り付けられた平歯車３３、３３と、この平歯車３３、３３に歯合する他方の開閉アーム１９、１９の回転軸に取り付けられた平歯車３４、３４と、ラック３０、３０を進退させる進退駆動機構３５とから構成されており、ラック３０、３０が進退すると、図１１（ａ）、（ｂ）及び図１２（ａ）、（ｂ）に示すように、開閉アーム１８、１８の回転軸と開閉アーム１９、１９の回転軸とがそれぞれ逆方向に回転し、互いに向き合っている開閉アーム１８、１８及び開閉アーム１９、１９が同じように開閉するようになっている。
【００２８】
前記進退駆動機構３５は、ラック３０、３０の一端側に取り付けられたカムフォロア３６、３６と、このカムフォロア３６、３６にラック３０の他端側からそれぞれ当接するカム面を有するカム部材３７と、このカム部材３７がベース部材３８を介して取り付けられる、支持フレームＳＦに固定されたスライドレールＳＲに沿って昇降するスライドガイド３９と、一端がラック３０、３０の一端側に連結されると共に他端が上側ベース１３に連結された、ラック３０、３０をその他端側に付勢するコイルばね４０、４０と、ベース部材３８を介してスライドガイド３９に取り付けられたカム部材３７を昇降させるカム機構４１とから構成されており、カム機構４１は、ベース部材３８に取り付けられたカムフォロア４１ａと、このカムフォロア４１ａが嵌り込む、固定設置された円筒体ＣＢに形成されたカム溝４１ｂとから構成されている。
【００２９】
従って、カムフォロア４１ａがカム溝４１ｂに沿って昇降することで、ベース部材３８に取り付けられているスライドガイド３９がスライドレールＳＲに沿って昇降し、これに伴って、ベース部材３８に取り付けられているカム部材３７が昇降することになり、カム部材３７の昇降動作と、コイルばね４０、４０の付勢力とによって、ラック３０、３０が所定のタイミングで進退することになる。
【００３０】
前記本体ユニット１２を昇降させるカム機構４３は、図２（ｂ）に示すように、ベース部材１１に取り付けられたカムフォロア４３ａと、このカムフォロア４３ａが嵌り込む、固定設置された円筒体ＣＢに形成されたカム溝４３ｂとから構成されており、カムフォロア４３ａがカム溝４３ｂに沿って昇降することで、ベース部材１１に取り付けられているスライドガイド４２がスライドレールＳＲに沿って昇降し、これに伴って、ベース部材１１に取り付けられている本体ユニット１２が昇降するようになっている。
【００３１】
以上のように、このラベルオープナー１は、それぞれの吸引杆２０（２０Ａ、２０Ｂ、２０Ｃ、２０Ｄ）を、相対回転可能なインナーパイプ２１、ミドルパイプ２２及び３分割された角柱状のアウターパイプ２３（上位パイプ２３Ａ、中位パイプ２３Ｂ及び下位パイプ２３Ｃ）を備えた３重パイプ構造とし、アウターパイプ２３の複数の側面には、それぞれ長手方向に配設された複数の吸引孔２３ａからなる吸引孔列が幅方向の異なる位置に形成されていると共に、インナーパイプ２１の周面には、開口しようとするラベルＬの折径に応じて、アウターパイプ２３のいずれかの吸引孔列の各吸引孔２３ａと連通可能な複数の連通孔２１ｂからなる一の連通孔列が形成されており、ミドルパイプ２２の周面には、開口しようとするラベルＬの長さに応じて、アウターパイプ２３に形成された各吸引孔列を構成している特定の吸引孔２３ａと連通可能な複数の連通孔２２ａからなる、連通孔２２ａの配設パターンが異なる複数の連通孔列が周方向の異なる位置に形成されているので、上述したように、ミドルパイプ２２や３分割されたアウターパイプ２３（上位パイプ２３Ａ、中位パイプ２３Ｂ及び下位パイプ２３Ｃ）を回転させて、インナーパイプ２１の連通孔２１ａと、ミドルパイプ２２の特定の連通孔２２ａ及びアウターパイプ２３の特定の吸引孔２３ａとを適宜連通させることによって、折径の異なる複数種類のラベル及び長さの異なる複数種類のラベルの双方に対応することができる。
【００３２】
なお、上述した実施形態では、横断面正方形状のアウターパイプ２３の２つの側面の内、一方の側面には幅方向の左側、他方の側面には幅方向の右側にそれぞれ吸引孔列を形成しているが、これに限定されるものではなく、例えば、残りの２つの側面の内、一方の側面の幅方向の中央部に吸引孔列を形成することも可能であり、このような構成を採用することにより、折径の異なる複数種類のラベルにきめ細かく対応することができる。
【００３３】
また、上述した実施形態では、横断面正方形状のアウターパイプ２３を採用しているが、これに限定されるものではなく、三角形、五角形、六角形等の任意の横断面多角形状のアウターパイプを採用することができる。
【００３４】
また、上述した実施形態では、アウターパイプ２３（上位パイプ２３Ａ、中位パイプ２３Ｂ及び下位パイプ２３Ｃ）の２つの側面にそれぞれ形成される吸引孔列を構成する吸引孔２３ａは、同一の孔径に設定されているが、これに限定されるものではなく、例えば、腰のない薄肉ラベルは孔径を小さく、腰のある厚肉ラベルは孔径を大きくするといった具合に、ラベルの肉厚に応じて吸引孔列毎に吸引孔２３ａの孔径を変化させるようにしてもよい。
【００３５】
また、上述した実施形態では、筒状のラベルＬをボトルＢの胴部に被嵌するラベル被嵌装置に搭載されるラベルオープナー１について説明したが、これに限定されるものではなく、本発明は、種々の筒状フィルムを開口する場合に適用することができることはいうまでもない。
【００３６】
また、上述した実施形態では、２組の開閉アーム１８、１８及び開閉アーム１９、１９を逆方向に回動させることによって、シート状に折り畳まれた状態のラベルＬを吸引把持した対向する吸引杆２０Ａ、２０Ｃ及び対向する吸引杆２０Ｂ、２０Ｄを相互に離反させるようにしているが、これに限定されるものではなく、対向する吸引杆を逆方向に平行移動させることによって相互に離反させるようにしてもよい。
【産業上の利用可能性】
【００３７】
本発明は、筒状のフィルムを種々の被嵌体に被嵌するフィルム被嵌装置等において、筒状のフィルムを開口するユニットとして利用することができる。
【符号の説明】
【００３８】
１  ラベルオープナー（フィルムオープナー）
１１  ベース部材
１２  本体ユニット
１３  上側ベース
１４  下側ベース
１５  連結板
１６  連結ロッド
１７  吸引ブロック
１８、１９  開閉アーム
２０、２０Ａ、２０Ｂ、２０Ｃ、２０Ｄ  吸引杆
２１  インナーパイプ
２１ａ  吸引路
２１ｂ  連通孔
２２  ミドルパイプ
２２Ａ  本体部
２２Ｂ  操作部
２２ａ  連通孔
２３  アウターパイプ
２３Ａ  上位パイプ
２３Ａａ  円錐凹部（位置決め手段）
２３Ｂ  中位パイプ
２３Ｂａ  円錐凹部（位置決め手段）
２３Ｃ  下位パイプ
２３Ｃａ  円錐凹部（位置決め手段）
２３ａ  吸引孔
２４  接続パイプ
２４ａ  円錐凹部（位置決め手段）
２５  ストッパ部材
２６  ボールプランジャ（位置決め手段）
２７  開閉機構
２８  スライドガイド
２９  スライドレール
３０  ラック
３１  セクタ歯車
３２  回転軸
３３、３４  平歯車
３５  進退駆動機構
３６  カムフォロア
３７  カム部材
３８  ベース部材
３９  スライドガイド
４０  コイルばね
４１  カム機構
４１ａ  カムフォロア
４１ｂ  カム溝
４２  スライドガイド
４３  カム機構
４３ａ  カムフォロア
４３ｂ  カム溝
４４  吸引パイプ
Ｂ  ＰＥＴボトル
Ｌ  ラベル
ＣＢ  円筒体
ＳＤ  支持円盤
ＳＦ  支持フレーム
ＳＲ  スライドレール
【図１】
2015147592.tif 000003
【図２】
2015147592.tif 000004
【図３】
2015147592.tif 000005
【図４】
2015147592.tif 000006
【図５】
2015147592.tif 000007
【図６】
2015147592.tif 000008
【図７】
2015147592.tif 000009
【図８】
2015147592.tif 000010
【図９】
2015147592.tif 000011
【図１０】
2015147592.tif 000012
【図１１】
2015147592.tif 000013
【図１２】
2015147592.tif 000014
【図１３】
2015147592.tif 000015
【図１４】
2015147592.tif 000016
【図１５】
2015147592.tif 000017
【図１６】
2015147592.tif 000018
【図１７】
2015147592.tif 000019
【図１８】
2015147592.tif 000020
【図１９】
2015147592.tif 000021
【図２０】
2015147592.tif 000022
【図２１】
2015147592.tif 000023
【図２２】
2015147592.tif 000024